【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
操作部と、
前記操作部へのタッチ入力を検出するための複数のタッチ検出手段と、
前記複数のタッチ検出手段のうち、電子機器の特定の端部から近い側に配置されたタッチ検出手段の感度よりも、前記特定の端部から遠い側に配置されたタッチ検出手段の感度が高くなるように調整する感度調整手段と、
前記感度調整手段によって調整された前記複数のタッチ検出手段からの出力値に基づいて、前記操作部における操作された部分を判定する判定手段と、を有することを特徴とする電子機器。
【請求項２】
複数の操作部と、
前記複数の操作部へのタッチ入力を検出するための複数のタッチ検出手段と、
前記複数のタッチ検出手段のうち、電子機器の特定の端部から近い側に配置されたタッチ検出手段の感度よりも、前記特定の端部から遠い側に配置されたタッチ検出手段の感度が高くなるように調整する感度調整手段と、
前記感度調整手段によって調整された前記複数のタッチ検出手段からの出力値に基づいて、前記複数の操作部のうち操作された操作部を判定する判定手段と、を有することを特徴とする電子機器。
【請求項３】
操作部と、
前記操作部へのタッチ入力を検出するための複数のタッチ検出手段と、
前記複数のタッチ検出手段のうち、電子機器のグリップ部から近い側に配置されたタッチ検出手段の感度よりも、前記グリップ部から遠い側に配置されたタッチ検出手段の感度が高くなるように調整する感度調整手段と、
前記感度調整手段によって調整された前記複数のタッチ検出手段からの出力値に基づいて、前記操作部における操作された部分を判定する判定手段と、を有することを特徴とする電子機器。
【請求項４】
複数の操作部と、
前記複数の操作部へのタッチ入力を検出するための複数のタッチ検出手段と、
前記複数のタッチ検出手段のうち、電子機器のグリップ部から近い側に配置されたタッチ検出手段の感度よりも、前記グリップ部から遠い側に配置されたタッチ検出手段の感度が高くなるように調整する感度調整手段と、
前記感度調整手段によって調整された前記複数のタッチ検出手段からの出力値に基づいて、前記複数の操作部のうち操作された操作部を判定する判定手段と、を有することを特徴とする電子機器。
【請求項５】
前記感度調整手段は、前記遠い側に配置されたタッチ検出手段からの出力値を増幅することで感度を調整することを特徴とする請求項１乃至４のいずれか１項に記載の電子機器。
【請求項６】
前記感度調整手段は、前記近い側に配置されたタッチ検出手段からの出力値を低減することで感度を調整することを特徴とする請求項１乃至４のいずれか１項に記載の電子機器。
【請求項７】
前記感度調整手段は、前記近い側に配置されたタッチ検出手段へのタッチがあったと判断するための閾値を高くすることで感度を調整することを特徴とする請求項１乃至４のいずれか１項に記載の電子機器。
【請求項８】
前記判定手段は、前記感度調整手段によって調整された前記複数のタッチ検出手段からの出力値のうち、１番大きい出力値に対する２番目に大きい出力値の比が閾値以上である場合には当該出力値による操作は無効とすることを特徴とする請求項１乃至７のいずれか１項に記載の電子機器。
【請求項９】
前記電子機器の姿勢を検出するための姿勢検出手段を更に有し、
前記感度調整手段は、前記姿勢検出手段から検出される電子機器の姿勢に応じて感度を高くするタッチ検出手段を変更することを特徴とする請求項１乃至８のいずれか１項に記載の電子機器。
【請求項１０】
前記グリップ部を保持しているか否かを検出するためのグリップ検出手段を更に有し、
前記感度調整手段は、前記グリップ部が保持されていることが検出されない場合は前記調整を行わないことを特徴とする請求項３または４に記載の電子機器。
【請求項１１】
前記電子機器は、被写体像を撮像する撮像装置であることを特徴とする請求項１乃至１０のいずれか１項に記載の電子機器。
【請求項１２】
前記タッチ検出手段は、静電容量方式のタッチセンサ電極であること特徴とする請求項１乃至１１のいずれか１項に記載の電子機器。
【請求項１３】
操作部と、
前記操作部へのタッチ入力を検出するための複数のタッチ検出手段と、を有する電子機器の制御方法であって、
前記複数のタッチ検出手段のうち、電子機器の特定の端部から近い側に配置されたタッチ検出手段の感度よりも、前記特定の端部から遠い側に配置されたタッチ検出手段の感度が高くなるように調整する感度調整工程と、
前記感度調整工程によって調整された前記複数のタッチ検出手段からの出力値に基づいて、前記操作部における操作された部分を判定する判定工程と、を有することを特徴とする制御方法。
【請求項１４】
複数の操作部と、
前記複数の操作部へのタッチ入力を検出するための複数のタッチ検出手段と、を有する電子機器の制御方法であって、
前記複数のタッチ検出手段のうち、電子機器の特定の端部から近い側に配置されたタッチ検出手段の感度よりも、前記特定の端部から遠い側に配置されたタッチ検出手段の感度が高くなるように調整する感度調整工程と、
前記感度調整工程によって調整された前記複数のタッチ検出手段からの出力値に基づいて、前記複数の操作部のうち操作された操作部を判定する判定工程と、を有することを特徴とする制御方法。
【請求項１５】
操作部と、
前記操作部へのタッチ入力を検出するための複数のタッチ検出手段と、を有する電子機器の制御方法であって、
前記複数のタッチ検出手段のうち、電子機器のグリップ部から近い側に配置されたタッチ検出手段の感度よりも、前記グリップ部から遠い側に配置されたタッチ検出手段の感度が高くなるように調整する感度調整工程と、
前記感度調整工程によって調整された前記複数のタッチ検出手段からの出力値に基づいて、前記操作部における操作された部分を判定する判定工程と、を有することを特徴とする制御方法。
【請求項１６】
複数の操作部と、
前記複数の操作部へのタッチ入力を検出するための複数のタッチ検出手段と、を有する電子機器の制御方法であって、
前記複数のタッチ検出手段のうち、電子機器のグリップ部から近い側に配置されたタッチ検出手段の感度よりも、前記グリップ部から遠い側に配置されたタッチ検出手段の感度が高くなるように調整する感度調整工程と、
前記感度調整工程によって調整された前記複数のタッチ検出手段からの出力値に基づいて、前記複数の操作部のうち操作された操作部を判定する判定工程と、を有することを特徴とする制御方法。
【請求項１７】
コンピュータを、請求項１乃至１２のいずれか１項に記載された電子機器の各手段として機能させるプログラム。
【請求項１８】
コンピュータを、請求項１乃至１２のいずれか１項に記載された電子機器の各手段として機能させるプログラムを格納した記憶媒体。
【手続補正２】
【補正対象書類名】明細書
【補正対象項目名】０００４
【補正方法】変更
【補正の内容】
【０００４】
【特許文献１】特開２００９−２１２７１９号公報
【手続補正３】
【補正対象書類名】明細書
【補正対象項目名】０００７
【補正方法】変更
【補正の内容】
【０００７】
上記目的を達成するために、本発明の電子機器は、操作部と、前記操作部へのタッチ入力を検出するための複数のタッチ検出手段と、前記複数のタッチ検出手段のうち、電子機器の特定の端部から近い側に配置されたタッチ検出手段の感度よりも、前記特定の端部から遠い側に配置されたタッチ検出手段の感度が高くなるように調整する感度調整手段と、前記感度調整手段によって調整された前記複数のタッチ検出手段からの出力値に基づいて、前記操作部における操作された部分を判定する判定手段と、を有する。
【手続補正４】
【補正対象書類名】明細書
【補正対象項目名】００８７
【補正方法】変更
【補正の内容】
【００８７】
また、一眼レフカメラのように明確にグリップ部と言える部分がない機器であっても、ユーザは電子機器の端部を把持して操作部材を操作すると想定される。そのため、ユーザが電子機器を手に持った状態で、タッチセンサで構成された複数の操作部材を操作可能な電子機器において、電子機器の筺体端部より近い側よりも遠い側の操作部材のタッチ検出感度を高くすることで上述の効果が得られる。また、タッチ検出感度を高くする方法として、上述の実施形態１では、電極で得られた静電容量値を所定倍する処理を行ったが、相対的なタッチ検出感度に差を付けられるならば他の方法によって感度を調整してもよい。例えば、各電極から静電容量センサＩＣまでの間にアンプ回路を設けておき、電子機器の筺体端部から近い側よりも遠い側の操作部材のタッチ検出用の電極の出力値を電気的に増幅してもよい。逆に、電子機器の筺体端部から遠い側よりも近い側の操作部材のタッチ検出用の電極の出力値を、静電容量センサＩＣ１０１までの間に設けたアンプ回路、あるいは静電容量センサＩＣ１０１、ＣＰＵ１０３で低減してもよい。